(57)【要約】【課題】コマーシャルメッセージ（ＣＭ）本編番組内容とは異なる副次的な放送内容を正確に選択することを可能にする方法と装置を提供する。【解決手段】ＴＶ放送受信機２０は、ユーザの要求に応じて、テレビジョン放送番組の時刻および内容を示す電子コンテンツ案内（ＥＣＧ）情報をＥＣＧ情報提供手段１０から入手し、ＣＭ処理部３０は、入手したＥＣＧ情報に含まれる副次的な放送内容を正確に記述した情報を参照して、副次的な放送内容を抽出する。好ましくは、ＣＭ処理部３０はさらに抽出した副次的な放送内容について、要求に応じた所定の分類に基づいてリスト化する。また好ましくは、ＣＭ処理部３０は、所定の分類に基づいてリスト化された副次的な放送内容について、要求に応じて放映頻度ごとに並べ直す。【選択図】図３
2009302877.tif 000002
【特許請求の範囲】
【請求項１】
要求に応じて、テレビジョン放送番組の時刻および内容を示す電子コンテンツ案内（ＥＣＧ）情報を参照してテレビジョン放送番組に含まれる副次的な放送内容を抽出する、
副次的な放送内容処理方法。
【請求項２】
前記抽出した副次的な放送内容について、要求に応じた所定の分類に基づいてリスト化する、
請求項１に記載の副次的な放送内容処理方法。
【請求項３】
前記所定の分類に基づいてリスト化された副次的な放送内容について、要求に応じて放送頻度ごとに並べ直す、
請求項２に記載の副次的な放送内容処理方法。
【請求項４】
前記副次的な放送内容は、コマーシャルメッセージ（ＣＭ）である、
請求項１〜３のいずれかに記載の副次的な放送内容処理方法。
【請求項５】
前記リスト化は、商品のカテゴリ、コマーシャルメッセージのスポンサーを含む、
請求項４に記載の副次的な放送内容処理方法。
【請求項６】
前記抽出されたコマーシャルメッセージに登場する人名および／またはキーワードの重み付け係数を前記電子コンテンツ案内情報を参照して入手する、
請求項４に記載の副次的な放送内容処理方法。
【請求項７】
要求に応じて、テレビジョン放送番組の時刻、および、内容を示す電子コンテンツ案内（ＥＣＧ）情報をサーバに要求して、ＥＣＧ情報をサーバから取得するＥＣＧ情報取得手段と、
前記取得したＥＣＧ情報を参照して本編番組に挿入された副次的な放送内容を抽出する副次的放送内容抽出手段と
を有する副次的な放送内容処理装置。
【請求項８】
前記抽出した副次的な放送内容について、要求に応じた所定の分類に基づいてリスト化する、リスト化手段をさらに有する、
請求項７に記載の副次的な放送内容処理装置。
【請求項９】
前記所定の分類に基づいてリスト化された副次的な放送内容について、要求に応じて放送頻度ごとに並べ直す、整列処理手段をさらに有する、
請求項８に記載の副次的な放送内容処理装置。
【請求項１０】
前記副次的な放送内容は、コマーシャルメッセージ（ＣＭ）である、
請求項７〜９のいずれかに記載の副次的な放送内容処理装置。
【請求項１１】
前記抽出されたコマーシャルメッセージに登場する人名および／またはキーワードの重み付け係数を、サーバから前記電子コンテンツ案内情報を参照して入手する、
請求項１０に記載の副次的な放送内容処理装置。
【請求項１２】
テレビジョン放送番組の時刻、および、内容を示す電子コンテンツ案内（ＥＣＧ）情報を保存しているサーバと、
該サーバと通信系統を介して接続された副次的な放送内容装置と
を有し、
前記副次的な放送内容装置は、要求に応じて前記サーバに対して前記ＥＣＧ情報を送信する要求を発し、
前記サーバは、要求に応じたＥＣＧ情報を前記副次的な放送内容装置に送信し、
前記副次的な放送内容装置は、要求に応じて、前記受信したＥＣＧ情報を参照して、テレビジョン放送番組に含まれる副次的な放送内容を抽出する、
副次的な放送内容処理システム。
【請求項１３】
前記副次的な放送内容装置は、抽出した副次的な放送内容について、要求に応じた所定の分類に基づいてリスト化する、
請求項１２に記載の副次的な放送内容処理システム。
【請求項１４】
前記副次的な放送内容は、コマーシャルメッセージ（ＣＭ）である、
請求項１２または１３に記載の副次的な放送内容処理システム。
【発明の詳細な説明】
【技術分野】
【０００１】
本発明は、本来の放送番組内容（本編番組）の間に挿入されているコマーシャルメッセージなど副次的な（または付加的な）放送内容を選択し、選択された副次的な放送内容をユーザの要望に応じて再生可能な方法と、それを実現する装置およびシステムに関する。
【背景技術】
【０００２】
テレビジョン（ＴＶ）放送番組内容を記録媒体に記録し、記録した放送内容を再生可能な録画・再生装置は広く活用されている。
【０００３】
録画する方法としては、たとえば、デジタル放送について、ＥＰＧ（Electric Program Guide、電子番組案内）情報を利用した自動録画技術および装置が知られている（たとえば、特許文献１）。その方法の例を述べる。ユーザは、リモートコントロール（以下、リモコン）を使用してＥＰＧ情報を録画・再生機能を持つＴＶ受像機の表示画面に表示させ、放送予定の番組内容を理解する。ユーザは、表示されたＥＰＧ情報を参照して、リモコンを操作して希望するジャンルなど条件にあう放送番組を選択する。録画・再生機能を持つＴＶ受信機は、選択した放送番組の録画を行う。
【０００４】
また、ＴＶ放送番組のうち所望の放送番組を効率的に自動的に録画する装置も知られている（たとえば、非特許文献１）。
【０００５】
民間の放送局（以下、民放）から放映されるＴＶ放送番組には、通常、本来の放送内容（以下、本編番組内容という）の間にコマーシャルメッセージ（ＣＭ）など本編番組内容とは異なる副次的（または付加的）な放送内容が挿入されている。
ユーザによっては、録画した放送番組内容からＣＭを削除して本編番組内容のみ残したいと言う要望がある。
【０００６】
その反面、ユーザによってはＣＭのみを取り出して視聴したいという要望も出てきている。
ＣＭのみを取り出して再生する方法としては、たとえば、デジタル放送に活用されているＥＰＧ情報を参照して実現することが想定することができる。
【０００７】
【特許文献１】特開２００７−８９０１２号公報
【非特許文献１】株式会社ソニー、ハードディスク搭載ＤＶＤレコーダ「スゴ録」、これがスゴ録の得意技
【発明の開示】
【発明が解決しようとする課題】
【０００８】
ＣＭの１回の放映時間は、たとえば、１０数秒〜３０秒程度の短時間であり、ＣＭを取り出すには、たとえば、１秒程度の正確さで取り出すことが望まれる。
しかしながら、ＥＰＧ情報に含まれている時間情報では、そのような正確な時間での検出が難しいと予想されている。
【０００９】
さらに、ＣＭのみを取り出すだけでなく、取り出したＣＭの内容を、たとえば、ジャンル毎、カテゴリ毎になど、ユーザの希望する内容に分類して視聴したいという要望もある。しかしながら、そのような要望を満足する技術はこれまで知られていない。
【００１０】
したがって、ＣＭなど本編番組内容とは異なる副次的な（付加的な）放送内容を正確に選択することを可能にする方法と装置が望まれている。
【００１１】
さらに、選択した副次的な放送内容を、たとえば、ジャンル毎、カテゴリ毎などユーザが希望する分類ごとに整理して取り出すことが可能な方法と装置が要望されている。
【課題を解決するための手段】
【００１２】
本発明によれば、要求に応じて、テレビジョン放送番組の時刻および内容を示す電子コンテンツ案内（ＥＣＧ）情報を参照してテレビジョン放送番組に含まれる副次的な放送内容を抽出する、副次的な放送内容処理方法が提供される。
好ましくは、前記抽出した副次的な放送内容について、要求に応じた所定の分類に基づいてリスト化する。
また好ましくは、前記所定の分類に基づいてリスト化された副次的な放送内容について、要求に応じて放映頻度ごとに並べ直す。
前記副次的な放送内容は、たとえば、コマーシャルメッセージ（ＣＭ）である。
好ましくは、前記リスト化は、商品のカテゴリ、コマーシャルメッセージのスポンサーごとに分類してリスト化することを含む。
また好ましくは、前記抽出されたコマーシャルメッセージに登場する人名および／またはキーワードの重み付け係数を前記電子コンテンツ案内情報を参照して入手する。
【００１３】
また本発明によれば、要求に応じて、テレビジョン放送番組の時刻、および、内容を示す電子コンテンツ案内（ＥＣＧ）情報をサーバに要求して、ＥＣＧ情報をサーバから取得するＥＣＧ情報取得手段と、前記取得したＥＣＧ情報を参照して本編番組に挿入された副次的な放送内容を抽出する副次的放送内容抽出手段とを有する副次的な放送内容処理装置が提供される。
好ましくは、前記抽出した副次的な放送内容について、要求に応じた所定の分類に基づいてリスト化する、リスト化手段をさらに有する。
また好ましくは、前記所定の分類に基づいてリスト化された副次的な放送内容について、要求に応じて放映頻度ごとに並べ直す、整列処理手段をさらに有する。
【００１４】
また本発明によれば、テレビジョン放送番組の時刻、および、内容を示す電子コンテンツ案内（ＥＣＧ）情報を保存しているサーバと、該サーバと通信系統を介して接続された副次的な放送内容装置とを有し、
前記副次的な放送内容装置は、要求に応じて前記サーバに対して前記ＥＣＧ情報を送信する要求を発し、
前記サーバは、要求に応じたＥＣＧ情報を前記副次的な放送内容装置に送信し、
前記副次的な放送内容装置は、要求に応じて、前記受信したＥＣＧ情報を参照して、テレビジョン放送番組に含まれる副次的な放送内容を抽出する、
副次的な放送内容処理システムが提供される。
【発明の効果】
【００１５】
本発明によれば、コマーシャルメッセージを含む副次的な放送内容を正確に選択することができる。
また本発明によれば、副次的な放送内容をユーザの希望する分類（カテゴリ）に応じて抽出することができる。
さらに本発明によれば、ユーザの要求に応じて、抽出した副次的な放送内容をリスト化することができる。
【発明を実施するための最良の形態】
【００１６】
以下、本発明の方法と装置の好適な実施の形態について述べる。
【００１７】
＜第１実施の形態＞
図１〜図３を参照して本発明の第１実施の形態について述べる。
図４は、図１に図解した、ＥＣＧ情報提供手段とＴＶ放送受信機とが通信網を介して行う情報の交換の処理を示すフローチャートである。
【００１８】
図１は本発明の第１実施の形態としてのＴＶ放送番組録画・再生システム１の構成を示す図である。
ＴＶ放送番組録画・再生システム１は、たとえば、インターネット、または、公衆電話回線網など通信網４０を介して接続される、ＥＣＧ情報提供手段１０と録画・再生機能付きＴＶ放送受信機２０とを有する。
【００１９】
図１にはテレビジョン放送自体を送受信する構成は図示していない。
各放送局から出力されたＴＶ放送信号は、たとえば、空中線を介してＴＶ放送受信機２０に設けられた図示しないアンテナ、または、図示しないケーブルを介してＴＶ放送受信機２０において受信される。
【００２０】
ＥＣＧ情報提供手段１０は、たとえば、放送局に配置され、ＴＶ放送受信機２０からの要求に応じて、電子内容案内（ＥＣＧ、Electric Contents Guide ）情報を提供するサーバとして機能する。
【００２１】
図２は図１に図解した録画・再生機能付きＴＶ放送受信機２０の構成例を示す図である。
録画・再生機能付きＴＶ放送受信機２０は、制御部２１と、ＴＶ放送受信部２２と、ＴＶ表示部２３と、スピーカなど図示しない音声再生部と、録画予約管理部２４と、録画・再生処理部２５と、録画データ記録部２６とを有する。
ＴＶ放送受信機２０はさらに、操作部２７と、リモートコントロール部（以下、リモコン）２８と、通信部２９と、コマーシャルメッセージ（ＣＭ）処理部３０とを有する。
【００２２】
制御部２１は、ＴＶ放送受信機２０内の上述した各部分と協働して、下記に述べる制御処理を行う。
操作部２７とリモコン２８とは、たとえば、赤外線によって無線接続されている。操作部２７はリモコン２８において選択されたＴＶ放送受信機２０の処理に関するユーザの操作内容を、制御部２１に伝達する。制御部２１は、下記に述べるように、リモコン２８の操作に応じて処理を遂行する。なお、操作部２７は、リモコン２８との無線交信のほか、ＴＶ表示部２３の輝度調整、図示しない音声再生部の音量調整などにも使用される。
【００２３】
ＴＶ放送受信部２２はＴＶ放送電波を受信するチューナを含む。ＴＶ放送受信部２２は、ユーザがリモコン２８を用いて選択したチャンネルの放送番組を、図示しないアンテナまたはケーブルを介して受信する。ＴＶ放送受信部２２は受信した放送番組のうち、映像信号をＴＶ表示部２３に出力し、音声信号を図示しない音声再生部２３に出力する。これにより、ユーザが選択した放送番組がＴＶ表示部２３に映像として再生される。そして、図示しない音声再生部から音声が出力される。以下、音声再生処理については説明を割愛する。
【００２４】
録画予約管理部２４は、ユーザがリモコン２８を用いて設定した予約録画情報を管理する。すなわち、録画予約管理部２４は、リモコン２８から設定された予約録画情報に基づいて録画・再生処理部２５を制御する。
録画・再生処理部２５は、録画予約管理部２４からの指示により、または、リモコン２８からの指定により、ＴＶ放送受信部２２が受信したＴＶ放送番組の内容を、録画データ記録部２６に記録させる処理を行う。また、録画・再生処理部２５は、録画予約管理部２４からの指示により、または、ユーザの希望に応じたリモコン２８の操作に基づいて、録画データ記録部２６に記録したＴＶ放送番組を取り出し、ＴＶ表示部２３に再生させるための処理を行う。
【００２５】
録画データ記録部２６は、たとえば、ＤＶＤなどの記録媒体を有する。
録画データ記録部２６は、リモコン２８の操作に基づく指定録画・再生処理部２５からのＴＶ放送番組内容の録画指示に基づいて、該当する放送番組内容を記録する。また、録画データ記録部２６は、リモコン２８の操作に基づく録画・再生処理部２５から指示により、記録しているＴＶ放送番組の内容を読みだす。読みだされたＴＶ放送番組の内容は、ＴＶ表示部２３に表示される。
【００２６】
通信部２９は、通信網４０を介してＥＣＧ情報提供手段１０に接続されており、ＥＣＧ情報提供手段１０との情報交換のための通信処理を行う。
【００２７】
ＣＭ処理部３０は、詳細を後述する、コマーシャルメッセージ（ＣＭ）に代表される、本編番組に挿入された副次的な（または付加的な）放送内容の処理を行う。
【００２８】
本実施の形態においては、制御部２１と、録画予約管理部２４と、録画・再生処理部２５と、ＣＭ処理部３０とを、たとえば、１台または複数台のコンピュータを用いて実現することができる。以下、コンピュータを用いて実施した場合について述べる。
【００２９】
図３は図２に図示したＴＶ放送受信機における処理の概要を示すフローチャートである。以下、図３を参照して、好ましい、ＴＶ放送受信機２０の処理の概要を述べる。
【００３０】
ステップ１、ＥＰＧ情報の表示
ユーザは、たとえば、リモコン２８を操作して、ＥＰＧ（電子番組案内）情報をＴＶ表示部２３に表示させる。
リモコン２８の操作内容は、操作部２７において検出され、制御部２１が操作部２７で検出した内容に応じてＴＶ放送受信機２０内の対応する部分を駆動制御する。このような一連の処理は、他の場合についても同様である。以下、リモコン２８に操作に起因する一連の操作の説明を簡単にするため、リモコン２８の操作があった場合、それに対応して制御部２１が行う処理を述べる。
この場合は、制御部２１が制御部２１で受信したＥＰＧ情報をＴＶ表示部２３に表示する処理を行う。
【００３１】
ステップ２、録画（録画予約）処理
ユーザは、ＴＶ表示部２３に表示されているＥＰＧ情報を把握し、録画を希望するＴＶ放送番組内容をリモコン２８または、ＴＶ表示部２３に表示された番組内容を指定して録画すべきＴＶ放送番組を設定操作する。
なお、下記に述べる操作方法は、リモコン２８を使用するか、ＴＶ表示部２３に表示されて内容を指定するから、あるいは、操作部２７を使用するかなどについては例示であり、本願発明において、操作方法は任意である。
【００３２】
リモコン２８またはＴＶ表示部２３に表示された番組内容の設定操作に応じて制御部２１が録画・再生処理部２５を駆動制御する。
録画・再生処理部２５は、設定されたＴＶ放送番組を録画データ記録部２６に記録させる処理を行う。すなわち、録画・再生処理部２５は、録画を終了すべき時間に到達したら録画データ記録部２６に対してＴＶ放送番組の録画を開始させ、録画終了時間に到達したら録画データ記録部２６における録画を停止させる。
【００３３】
リモコン２８および録画予約管理部２４を用いて録画を予約する場合も上記同様に行われる。
ユーザは、たとえば、ＴＶ表示部２３に表示されたＥＰＧ情報を見て、リモコン２８を操作して予約録画する放送内容と、録画開始時刻と録画終了時刻を録画予約管理部２４に登録する。なお、非特許文献１に記載されたツールを用いて、効率よく録画を予約することもできる。
【００３４】
録画予約管理部２４は、制御部２１と協働して録画開始時間と録画終了時間の時間管理を行う。録画予約管理部２４は、録画開始時間に到達したら録画データ記録部２６にＴＶ放送番組の録画の開始を指示させ、録画終了時間に到達したら録画データ記録部２６にそのＴＶ放送番組の録画の終了を指示させる。
【００３５】
ステップ３、録画内容の表示
以上のいずれかの処理により、ユーザが希望したＴＶ放送番組が録画データ記録部２６に記録される。なお、録画データ記録部２６には複数のＴＶ放送番組が記録されている場合もある。
【００３６】
ユーザは、必要に応じて、リモコン２８を操作して、録画データ記録部２６に録画されている録画情報の呼び出しを行う。具体的には、リモコン２８の操作内容に応じて制御部２１が操作部２７で受信した操作内容を録画・再生処理部２５に入力する。録画・再生処理部２５は、録画情報の呼び出し要求に応じて、録画データ記録部２６に記録されている録画情報を読みだしてＴＶ表示部２３に表示する。
【００３７】
ＴＶ表示部２３に表示される録画情報は、放送日時と、番組の識別情報（インデックスＩＤ）を含んでいる。番組の識別情報とは、たとえば、デジタル放送に付加されている特定のＩＤを言う。
ユーザは、ＴＶ表示部２３の表示から、録画データ記録部２６に録画されているＴＶ放送番組内容について、放送日時と、番組内容を知ることができる。
【００３８】
もちろん、ユーザが、録画データ記録部２６に録画した内容を記憶しており、上述したステップ１〜３の処理を行わずに、ＥＣＧ情報の呼び出しを行うことが可能な場合は、上述した処理を割愛することができる。
【００３９】
ステップ４、ＣＭ構成情報を要求
ユーザはリモコン２８を操作して、録画データ記録部２６に録画したＴＶ放送番組内容のうち、再生したいＣＭを含むＴＶ放送番組内容の番組内容を示すインデックスＩＤと放送日時とを指定する。
制御部２１はリモコン２８で設定された「番組内容を示すインデックスＩＤと放送日時」の放送番組内のＣＭ構成情報の受信要求を、通信部２９から通信網４０を介してＥＣＧ情報提供手段１０に送出する。
【００４０】
ステップ５、ＣＭ構成情報の受信と表示
ＥＣＧ情報提供手段１０は、たとえば、図示しない内部メモリに放送番組のＥＣＧ情報を保存しており、ＴＶ放送受信機２０から指定された放送番組内のＣＭ構成情報を抽出して、通信網４０を経由してＴＶ放送受信機２０に送信する。
ＴＶ放送受信機２０の通信部２９は送信されたＣＭ構成情報を受信する。制御部２１は受信したＣＭ構成情報をＴＶ表示部２３に表示し、ＣＭ処理部３０に通報し、好ましくは録画データ記録部２６に記録する。
【００４１】
図４はＴＶ放送受信機２０で受信したＣＭ構成情報の例を示した図である。
図４の例示において、番組本編、６番目のＣＭ内容（Ａ社の菓子販売のＣＭ）、番組本編、７番目のＣＭ内容（Ｂ社のドリンク剤のＣＭ）、番組本編、８番目のＣＭ内容（Ｃ社の車両のＣＭ）、番組本編と、各ＣＭの開始時間がそれぞれ、放送開始時間からの経過時間が、分：秒単位、たとえば、０分１５秒のように表記されている。
【００４２】
ＥＣＧ情報
ＥＣＧ情報は、人工衛星を経由して自動的に送信されてくるＥＰＧ情報とは異なり、ＥＣＧ情報提供手段１０のようなサーバに要求して初めて、受信可能な情報である。
また、ＥＣＧ情報は、ＥＰＧ情報に比べて、ＴＶ放送番組内容について詳細な種々の情報を含んでいる。特に、本願発明の実施の形態に関して述べると、ＥＣＧ情報に含まれるＣＭについての情報は詳細で正確である。
たとえば、ＣＭの時間情報が正確である。ＣＭの開始時間は、通常、秒単位で表される。ＥＰＧ情報はそのような正確さは期待できない。ＥＣＧ情報はそのような場合でも、たとえば、ＣＭの開始時刻と終了時刻で正確である。
さらに、ＥＣＧ情報からは、ＥＰＧ情報には含まれない放送に関する詳細な情報、たとえば、ＣＭに関してはＣＭの内容が分かる。
【００４３】
ステップ６、ＣＭの切り出し
ユーザは、リモコン２８を操作して上記ＣＭ構成情報で示されるＣＭ部分の切り出しを指示する。
制御部２１はＣＭ処理部３０を駆動する。
ＣＭ処理部３０は、リモコン２８の操作指示に応じて、受信したＣＭ構成情報から、ＣＭ部分の情報のみを切り出して、録画データ記録部２６に記録させる。
このＣＭ部分の情報の切り出しは、ＥＣＧ情報に含まれるＣＭについての時間情報が正確であることから、極めて正確な時間で行われる。
【００４４】
ステップ７、切り出したＣＭのリスト化
ＣＭの切り出しが終了した後、ユーザは、たとえば、ＴＶ表示部２３を解して、切り出したＣＭをリスト化（プレイリスト化）したＣＭをリスト化処理の例を下記に示す。
【００４５】
初期画像表示
図５は、リスト化処理を行う前の初期画像の表示例として、ＴＶ表示画面部２３に表示された内容を示す図である。
図５の例は、ＣＭが３５個、ＣＭ構成情報に含まれていることを示している。
ユーザは、タイトルリストでビューボタンを押し下げ、たとえば、黄色を押し下げ、ＣＭを選択して、ＣＭのフォルダを開く。
図６は図５に表示した状態からＣＭのフォルダを開いた状態の例を示す。
以下、種々のリスト化処理について述べる。
【００４６】
リスト化処理例１、商品カテゴリによる分類
ユーザは、図６の表示状態から、たとえば、「車両のＣＭ」についてのタイトルリストのビューボタンを押し下げて選択する。
ＣＭ処理部３０はその選択に応じて、車両に関するインデックスＩＤを参照して、録画データ記録部２６に記憶されているＣＭ構成情報を検索して、検索結果をＴＶ表示部２３に表示する。
図７はＣＭ処理部３０が録画データ記録部２６に記録されている放映内容を検索してＴＶ表示部２３に表示させた結果の例を示す図である。図７において、車両に関するＣＭの放映内容が、各インデックス毎に表示されている。
この例示によれば、各メーカの車両に関するＣＭのみが分類されて表示される。
【００４７】
その他の例
上記例は、商品カテゴリとして、車両について例示したが、図６に例示されている、その他のカテゴリ、たとえば、洗剤のＣＭ、飲み物のＣＭなど、その他の商品カテゴリについても上記同様に、分類してそのＣＭ内容を表示することができる。
【００４８】
以上のように、商品カテゴリ、たとえば、車両のＣＭのみが分類され、ユーザは、それら車両のＣＭの具体的な内容を把握することができる。
【００４９】
リスト化処理例２、放映頻度順による分類
ユーザは、たとえば、ＣＭの放映の頻度順を指定する。
ＣＭ処理部３０は、その指定に応じて、インデックスＩＤを参照して、録画データ記録部２６に記録されているＣＭの内容を識別し、各内容ごとの放映された頻度を計算する。そしてＣＭ処理部３０は、放映頻度の高いＣＭの順にＴＶ表示部２３に表示する。
【００５０】
図８はＣＭ処理部３０が放映頻度順にＴＶ表示部２３にＣＭを表示した例を示す図である。図８の例示において、たとえば、「良く流れるＣＭ」とその放映時間、次いで、「時々流れるＣＭ」とその放映時間とが、放映頻度順にＴＶ表示画面部２３に表示されている。
これにより、ユーザは放映頻度の順とその内容、そして、放映時間を知ることができる。
【００５１】
なお、図８の例示において、ユーザが、たとえば、「良く流れるＣＭ」の部分を、商品カテゴリの選択と同様の操作で選択した場合について述べる。
ＣＭ処理部３０は、選択された「良く流れるＣＭ」の放映内容を録画データ記録部２６から読みだしてＴＶ表示部２３と図示しない音声再生部にそのＣＭの具体的な内容を出力して、再生することができる。
【００５２】
リスト化処理例２のその他の例１
上述したＣＭの放映の頻度順と同様、ＣＭ処理部３０は、ユーザの要求に応じて、たとえば、図９に例示した値段の高い商品の順にＣＭの放映を分類してＴＶ表示部２３に表示することもできる。
【００５３】
リスト化処理例２のその他の例２
上述したＣＭの放映の頻度順と同様、ＣＭ処理部３０は、ユーザの要求に応じて、たとえば、図１０に例示したように、ＣＭを放映している企業名（スポンサー名）をＴＶ表示部２３に表示することもできる。
図１０はＣＭを放映している企業名（スポンサー名）を表示した例を示す図である。
【００５４】
さらに、ＣＭ処理部３０はユーザの要求に応じて、図１０に例示されたＴＶ表示部２３に表示されている企業について、録画データ記録部２６の本編番組の内容を検索してＴＶ表示部２３に表示することができる。
このような用途は、企業がどのような放映内容、たとえば、報道番組、音楽番組、クイズ番組、ワイドショウなどのいずれかのＣＭを多く放映していることを把握することに役立つ。
【００５５】
リスト化処理例２のその他の例３
上述したＣＭの放映の頻度順と同様、ＣＭ処理部３０は、ユーザの要求に応じて、録画データ記録部２６に記録された、クリスマス商戦のＣＭ、ビールのＣＭなどを検索して、ＴＶ表示部２３に表示することができる。
このような用途は、季節に応じたＣＭの放映を把握するのに役立つ。
【００５６】
リスト化処理例３
商品カテゴリによる分類として例示した図７の車両のＣＭの放映内容に対してさらに、ユーザは、放映頻度順にＣＭを表示することを要求することができる。
ＣＭ処理部３０はそのような要求に対して、録画データ記録部２６に記録されている内容の頻度を計算して、放映の頻度の高い順に、ＴＶ表示部２３に検索結果を表示することができる。
それにより、ユーザは商品カテゴリとその商品カテゴリについてのメーカーのＣＭの放映頻度を把握することができる。
【００５７】
さらに、ＣＭ処理部３０は、ユーザから、あるメーカーについての放映内容の表示の指示が指定された場合、録画データ記録部２６に記録されているＣＭの放映内容をＴＶ表示部２３に表示することができる。
これにより、ユーザは、そのメーカーのＣＭの放映内容を把握することができる。
【００５８】
リスト化処理例４
図１１を参照してリストカテゴリ処理の第４例を述べる。
図１１（Ａ）はＣＭ処理部３０によって分類され、録画データ記録部２６に記録されている前回までのＣＭリストの内容を示す。図１０（Ａ）の例示は、ＣＭ処理部３０によって、ＣＭのスポンサー順のＣＭの放映内容と、商品カテゴリごとのＣＭの放映内容が分類されて録画データ記録部２６に記録されていることを示す。
図１１（Ｂ）は、ＴＶ放送受信機２０からの要求に応じてＥＣＧ情報提供手段１０が送信してＣＭ構成情報を示す。
図１１（Ｃ）は、ステップ６として述べたＣＭの切り出しによって追加されたＣＭのリストを例示した状態を示す図である。
【００５９】
ユーザは、図１１（Ｃ）に例示されたＣＭについて、上述したリスト化処理のいずれかを行うことができる。
たとえば、ユーザはリスト化処理１を行うことができる。その結果、ユーザは、図１０（Ｃ）に例示された録画データ記録部２６に記録されているＣＭについて、たとえば、車両のＣＭの具体的な内容を把握することができる。
【００６０】
さらにユーザは、たとえば、図１１（Ｃ）に例示されたＣＭについて放映頻度ごとに分類することができる。
これにより、ユーザは図１１（Ｃ）に例示されたＣＭについて放映頻度の順とその内容、そして、放映時間を知ることができる。
【００６１】
図１１（Ｃ）に例示されたＣＭについて、上記例の他、上述した任意のリスト化処理を行うことができる。
【００６２】
以上述べたように、ＥＣＧ情報を用いることにより、ＣＭを正確に切り出すことができる。
また正確に切り出したＣＭをリスト化することにより、特定の分類結果のＣＭを１つのタイトルとして扱うことができる。すなわち、ＣＭのような短い放映内容を１つ１つ再生する必要がなく、一連の連続した放映内容として視聴することができる。
さらにＣＭがユーザの希望に応じて分類された１つのタイトルになっているので、たとえば、ＣＭをダビングする場合に都合がよい。
【００６３】
変形態様
ＣＭのリスト化の例を上述したが、本発明は上述した例示に限定されず、その他の上記同様の種々のリスト化を行うことができる。
また、本発明は、上述したリスト化の例を適宜組み合わせることができる。
【００６４】
タイミング合わせ
上記実施の形態について、また、下記に述べる実施の形態について、実際に放映された時間と、録画データ記録部２６に録画された時間にはずれが生ずる場合がある。
そのような場合、時間ずれを、たとえば、リモコン２８を操作して設定し、ＣＭ処理部３０は設定された時間のずれを調整して、上述した実施の形態、または、後述する実施の形態を行うことができる。
【００６５】
なお、上記ＣＭ処理のために録画データ記録部２６に記録して情報は、たとえば、所定時間経過後に自動的に消去させることができる。
【００６６】
＜第２実施の形態＞
図１２〜図１４を参照して本発明の第２実施の形態について述べる。
第２実施の形態は、ＣＭに登場した、たとえば、人名、キーワードと、それぞれの重み付け係数を用いて、ＣＭにおけるユーザの嗜好を調査する場合などに好適な例である。
キーワードとしては、たとえば、流行語、ＣＭに用いた用語などが該当する。
【００６７】
図１２は、第２実施の形態として、図３に対応する図２に図示したＴＶ放送受信機における処理の概要を示すフローチャートである。
ステップ１１は、上述した図３におけるステップ１と同様である。
ステップ１２も、図３におけるステップ２の処理と同様である。
ステップ１３も、図３におけるステップ３の処理と同様である。
【００６８】
ステップ１４、人名、キーワード、重み付け係数の要求
第２実施の形態においては、ユーザは、録画データ記録部２６に録画したＴＶ放送番組内容のうち、ＣＭに登録した人および／またはキーワードと、それぞれの重み係数を要求する。この要求方法としては、ユーザは、たとえば、ＴＶ表示部２３に表示された人、キーワードなどを指定して行う。
制御部２１は指定された人名および／またはキーワードと、それぞれの重み係数を受信する要求を通信部２９から通信網４０を介してＥＣＧ情報提供手段１０に送出する。
図１３は、ＴＶ放送受信機２０からＥＣＧ情報提供手段１０に上記要求を送信する処理を示す図である。
【００６９】
ステップ１５、人名、キーワード、重み付け係数の受信と表示
ＥＣＧ情報提供手段１０は、メモリに保存してある放送番組のＥＣＧ情報を参照して、ＴＶ放送受信機２０から要求された人名、キーワード、重み付け係数を検索して通信網４０を経由してＴＶ放送受信機２０に送信する。
ＥＣＧ情報を用いることにより、人名、キーワード、重み付け係数なども検索することができる。
ＴＶ放送受信機２０の通信部２９は送信された人名、キーワード、重み付け係数を受信する。制御部２１は受信した人名、キーワード、重み付け係数をＴＶ表示部２３に表示し、ＣＭ処理部３０に通報し、好ましくは録画データ記録部２６に記録する。
【００７０】
図１４はＴＶ放送受信機２０で受信した人名、キーワード、重み付け係数の例を示した図である。
図１４の例示において、キーワードごと、そして、人名ごとに、ユーザの嗜好値と、放送局の指定値が示されている。
ＣＭに登場する人、キーワードは、ユーザの好み、流行などで変化する。そこで、重み付け係数を参照して、人名、キーワードを評価する。ＥＣＧ情報提供手段１０にはそのような情報が交信された保存されている。
なお、人名、キーワードなど、リストに未登録なものは、たとえば、人名２として例示したものは、新規に登録したことを示す。
【００７１】
ステップ１６、表示
ＣＭ処理部３０は、受信した「人名、キーワード、重み付け係数」を、たとえば、図１４に例示した態様でＴＶ表示部２３に表示する。
その結果、ユーザは、ＣＭに登場した、たとえば、人名および／またはキーワードと、それぞれの重み付け係数を把握することができる。
【００７２】
＜第３実施の形態＞
以上の実施の形態は、ＥＣＧ情報のみを使用した場合を述べたが、第３実施の形態として、ＥＰＧ情報とＥＣＧ情報とを併用した場合について述べる。
たとえば、緊急ニースの報道など、予定通りの放送が出来ない場合もある。そのような場合、ＥＰＧ情報の更新タイミングの遅速と、ＥＣＧ情報の更新タイミングの遅速とを考慮することが望ましい。
そのような場合、ユーザは、ＥＣＧ情報を参照して上記ＣＭの処理を行って結果の妥当性を判断し、正確でないと判断したら、ＥＰＧ情報を参照してＣＭの処理を行う。
【００７３】
なお、ＥＰＧ情報を参照したＣＭの処理としては、リモコン２８を操作してデジタル放送として衛星から出力されるＥＰＧ情報を録画・再生機能付きＴＶ放送受信機２０が受信し、ＴＶ表示部２３にＥＰＧ情報を表示させるとともに、録画データ記録部２６に記録する。
ＣＭ処理部３０は、ＥＣＧ情報について行った方法と同様の方法で、録画データ記録部２６に記録されたＥＰＧ情報からＣＭ情報を切り出し、上述した方法と同様な方法で、リスト化などを行う。
ＥＰＧ情報に基づくＣＭは、たとえば、時間についてはＥＣＧ情報を参照してＣＭの処理ほどには正確さはないが、緊急放送のような度合いで、ＥＣＧ情報を参照できないような場合には、代替機能として活用することができる。
【００７４】
変形態様
上記実施の形態は、副次的な放送内容として、コマーシャルメッセージ（ＣＭ）を例示して述べたが、本発明はＣＭに限らず、ＴＶ放送番組内容について、上記同様の切り出し、リスト化処理を行うことができる。
【００７５】
また上記実施の形態は、放映されたテレビジョン番組内容を録画データ記録部２６に録画した後、ＣＭなどの副次的放送内容を処理する場合について述べたが、本発明の実施の形態は、録画データ記録部２６に録画する場合に限らず、ＥＣＧ情報提供手段１０からＥＣＧ情報を入手して、録画データ記録部２６に録画しないものについても、上述した処理と同様の処理を行うことかできる。
【００７６】
本発明の実施の形態として、図２に構成例を示した録画・再生機能付きＴＶ放送受信機２０を適用した場合を述べたが、たとえば、録画予約管理部２４、録画・再生処理部２５、録画データ記録部２６、ＣＭ処理部３０をテレビジョン受像機とは別の録画・再生専用装置として構成することもできる。
【００７７】
本発明の実施の形態に際しては、上述した実施の形態に限定されず、当業者が取りうるその他の代替構成および処理内容を適用することができる。
【００７８】
本発明の構成要件と実施の形態の構成要素との対比
上述した記述から明らかなように、ＴＶ放送番組録画・再生システム１が本発明における、放送内容処理システムに対応する。
ＥＣＧ情報提供手段１０が、本発明におけるサーバに対応する。
１例としての録画・再生機能付きＴＶ放送受信機２０が本発明における放送内容処理装置に対応する。
ＴＶ放送受信機２０内の、制御部２１が本発明におけるＥＣＧ情報取得手段に対応し、ＣＭ処理部３０が本発明における副次的な放送内容抽出手段、リスト化手段、および、整列処理手段に対応する。
【図面の簡単な説明】
【００７９】
【図１】図１は本発明の第１実施の形態としてのＴＶ放送番組録画・再生システムの構成を示す図である。
【図２】図２は図１に図解した録画・再生機能付きＴＶ放送受信機の構成例を示す図である。
【図３】図３は図２に図示したＴＶ放送受信機における処理の概要を示すフローチャートである。
【図４】図４は、図１に図解した、ＥＣＧ情報提供手段とＴＶ放送受信機とが通信網を介して行う情報の交換を示す処理を示すフローチャートである。
【図５】図５は、リスト化処理を行う前の初期画像の表示例として、ＴＶ表示画面部２３に表示された内容を示す図である。
【図６】図６は図５に表示した状態からＣＭのフォルダを開いた状態の例を示す。
【図７】図７は検索したＣＭをＴＶ表示部に表示させた結果の例を示す図である。
【図８】図８は放映頻度順にＣＭをＴＶ表示部に表示した例を示す図である。
【図９】図９は値段の高い商品の順にＣＭの放映を分類してＴＶ表示部に表示した例を示す図である。
【図１０】図１０はＣＭを放映している企業名（スポンサー名）を表示した例を示す図である。
【図１１】図１１はリストカテゴリ処理の第４例を例示した図であり、図１１（Ａ）はＣＭ処理部によって分類され、録画データ記録部に記録されている前回までのＣＭリストの内容を示し、図１１（Ｂ）はＴＶ放送受信機からの要求に応じてＥＣＧ情報提供手段が送信してＣＭ構成情報を示し、図１１（Ｃ）はＣＭの切り出しによって追加されたＣＭのリストを例示した状態を示す図である。
【図１２】図１２は第２実施の形態として、図３に対応する図２に図示したＴＶ放送受信機における処理の概要を示すフローチャートである。
【図１３】図１３はＥＣＧ情報提供手段からＴＶ放送受信機に送信する処理を示す図である。
【図１４】図１４はＴＶ放送受信機で受信した人名、キーワード、重み付け係数の例を示した図である。
【符号の説明】
【００８０】
１…ＴＶ放送番組録画・再生システム、１０…ＥＣＧ情報提供手段、２０…録画・再生機能付きＴＶ放送受信機、２１…制御部、２２…ＴＶ放送受信部、２３…ＴＶ表示部、２４…録画予約管理部、２５…録画・再生処理部、２６…録画データ記録部、２７…操作部、２８…リモートコントロール部（リモコン）、２９…通信部、３０…ＣＭ処理部、４０…通信網。
【図１】
2009302877.tif 000003
【図２】
2009302877.tif 000004
【図３】
2009302877.tif 000005
【図４】
2009302877.tif 000006
【図５】
2009302877.tif 000007
【図６】
2009302877.tif 000008
【図７】
2009302877.tif 000009
【図８】
2009302877.tif 000010
【図９】
2009302877.tif 000011
【図１０】
2009302877.tif 000012
【図１１】
2009302877.tif 000013
【図１２】
2009302877.tif 000014
【図１３】
2009302877.tif 000015
【図１４】
2009302877.tif 000016